(57)【要約】  被撮像物を照らす外部の光が変化しても、ホワイトバランスの調整精度を向上することができるＰＯＳ端末等を提供する。ＰＯＳ端末装置（１）は、互いに異なる複数の基準色を含む被撮像物を撮像して画像を生成する撮像部（１０）と、それぞれの前記基準色に対応する部分の前記画像と、前記基準色の標準となる標準画像と、を比較する比較部（２０）と、前記比較の結果に基づいてホワイトバランスを調整する調整部（３０）と、を備えている。
2015146084.tif 000002
【特許請求の範囲】
【請求項１】
互いに異なる複数の基準色を含む被撮像物を撮像して画像を生成する撮像手段と、  それぞれの前記基準色に対応する部分の前記画像と、前記基準色の標準となる標準画像と、を比較する比較手段と、  前記比較の結果に基づいてホワイトバランスを調整する調整手段と、  を備える、ＰＯＳ端末。
【請求項２】
前記比較手段は、それぞれの前記基準色に対応する部分の前記画像の特徴値と、前記基準色の標準となる標準画像の特徴値とを比較する、  請求項１に記載のＰＯＳ端末。
【請求項３】
前記基準色の標準となる標準画像は、前記基準色を所定の条件で撮像して取得した画像である、  請求項１又は２に記載のＰＯＳ端末。
【請求項４】
前記互いに異なる複数の基準色は、前記撮像手段の撮像範囲に設けられたカラーパターンに表示された色、商品の色、又は、カードの色である、請求項１乃至３のいずれか１項に記載のＰＯＳ端末。
【請求項５】
互いに異なる複数の基準色を含む被撮像物を撮像して生成した画像を取得する取得手段と、  それぞれの前記基準色に対応する部分の前記画像と、前記基準色の標準となる標準画像と、を比較する比較手段と、  前記比較の結果に基づいてホワイトバランスを調整する調整手段と、  を備える情報処理装置。
【請求項６】
互いに異なる複数の基準色を含む被撮像物を撮像して画像を生成する撮像手段を有するＰＯＳ端末  を更に備える、請求項５に記載の情報処理装置。
【請求項７】
互いに異なる複数の基準色を含む被撮像物を撮像して画像を生成し、  それぞれの前記基準色に対応する部分の前記画像と、前記基準色の標準となる標準画像と、を比較し、  前記比較の結果に基づいてホワイトバランスを調整する、  ホワイトバランス調整方法。
【請求項８】
互いに異なる複数の基準色を含む被撮像物を撮像して画像を生成する機能と、  それぞれの前記基準色に対応する部分の前記画像と、前記基準色の標準となる標準画像と、を比較する機能と、  前記比較の結果に基づいてホワイトバランスを調整する機能と、  をコンピュータに実行させるプログラムを格納する記憶媒体。
【発明の詳細な説明】
【技術分野】
【０００１】  本発明は、商品の決済を行うために用いられるＰＯＳ（Point of Sales）端末装置等に関する。
【背景技術】
【０００２】  特許文献１は、外部の光を遮断するための筐体内部をベルトコンベア上に載って搬送される商品を、照明装置にて照射しながら、所定の時間間隔でカラー撮像カメラを用いて撮像し、撮像された画像からホワイトバランス調整を行う技術を開示する。ホワイトバランス調整とは、白いものが白く写るように色の補正をおこなう機能を指し、光源（例えば、日光、電灯）の違いにより発生する白色材の色の違いを補正する。
【先行技術文献】
【特許文献】
【０００３】
【特許文献１】特開平８−１８２００２号公報
【発明の概要】
【発明が解決しようとする課題】
【０００４】  しかしながら、特許文献１は、被撮像物を照射するのは原則的に筐体内部に設置された照明装置のみであり、筐体出入口で防げない外部の光の侵入について多少の考慮がなされるだけであった。即ち、被撮像物に対する直接的な外部の光からの照射や、当該外光が変化した場合に、被撮像物のホワイトバランスを調整することについては考慮していない。【０００５】  本発明は、この課題を解決するためになされた。本発明は、被撮像物を照らす外部の光が変化しても、被撮像物のホワイトバランスを十分な精度に調整できるＰＯＳ端末等を提供することを主たる目的とする。
【課題を解決するための手段】
【０００６】  上記問題点を鑑みて、本発明の第１の観点は、  互いに異なる複数の基準色を含む被撮像物を撮像して画像を生成する撮像部と、  それぞれの基準色に対応する部分の画像と、基準色の標準となる標準画像と、を比較する比較部と、  比較の結果に基づいてホワイトバランスを調整する調整部と、  を備える、ＰＯＳ端末である。  本発明の第２の観点は、  互いに異なる複数の基準色を含む被撮像物を撮像して生成した画像を取得する取得部と、  それぞれの基準色に対応する部分の画像と、基準色の標準となる標準画像と、を比較する比較部と、  比較の結果に基づいてホワイトバランスを調整する調整部と、  を備える情報処理装置である。  本発明の第３の観点は、  互いに異なる複数の基準色を含む被撮像物を撮像して画像を生成する撮像部、  を有するＰＯＳ端末と、  画像を取得する取得部と、  それぞれの基準色に対応する部分の画像と、基準色の標準となる標準画像と、を比較する比較部と、  比較の結果に基づいてホワイトバランスを調整する調整部と、  を有する情報処理装置と、  を備える情報処理システムである。  本発明の第４の観点は、  互いに異なる複数の基準色を含む被撮像物を撮像して画像を生成し、  それぞれの基準色に対応する部分の画像と、基準色の標準となる標準画像と、を比較し、  比較の結果に基づいてホワイトバランスを調整する、  ホワイトバランス調整方法である。  本発明の第５の観点は、  互いに異なる複数の基準色を含む被撮像物を撮像して画像を生成する機能と、  それぞれの基準色に対応する部分の画像と、基準色の標準となる標準画像と、を比較する機能と、  比較の結果に基づいてホワイトバランスを調整する機能と、  をコンピュータに実行させるプログラムを格納する記憶媒体である。
【発明の効果】
【０００７】  本発明によれば、被撮像物を照らす外部の光が変化しても、被撮像物のホワイトバランスを十分な精度に調整できるＰＯＳ端末等を提供できる。
【図面の簡単な説明】
【０００８】
【図１】本発明の第１の実施形態に係るＰＯＳ端末の概要の一例を示す図である。
【図２】第１の実施形態に係るＰＯＳ端末の外観の一例を示す側面図である。
【図３】第１の実施形態に係るＰＯＳ端末のハードウェア構成の一例を示す図である。
【図４】第１の実施形態に係る情報処理装置の処理の一例を示すフローチャートである。
【図５】本発明の第２の実施形態に係るＰＯＳ端末の外観の一例を示す側面図である。
【図６】第２の実施形態に係るＰＯＳ端末のハードウェアの構成の一例を示す図である。
【０００９】
【図７】第２の実施形態に係る商品の外観の一例を示す図である。
【図８】第２の実施形態に係る情報処理装置の処理の一例を示すフローチャートである。
【図９】各実施形態に係る情報処理装置のハードウェア構造の一例を示す図である。
【発明を実施するための形態】
【００１０】  （本発明の実施形態の概要）  本発明に係る各実施形態の概要を説明する。図１は、本発明の各実施形態に係るＰＯＳ端末１の概要を示す図である。図１に示すように、ＰＯＳ端末１は、撮像部１０と、比較部２０と、調整部３０と、を備える。
【００１１】  撮像部１０は、互いに異なる複数の基準色を含む被撮像物を撮像して画像を生成する。比較部２０は、撮像部１０が撮像した画像のうち、それぞれの基準色に対応する部分の画像と、前記基準色の標準となる画像と、を比較する。調整部３０は、比較部２０が比較した結果に基づいてホワイトバランスを調整する。
【００１２】  本発明の各実施形態に係るＰＯＳ端末１は、互いに異なる複数の色を用いてホワイトバランスを調整するため、ホワイトバランスの調整精度を向上することができる。
【００１３】  以上では、ＰＯＳ端末１が撮像部１０と、比較部２０と、調整部３０と、を備える場合について説明した。本発明の実施形態は、この場合だけに限られるものではない。例えば、ＰＯＳ端末１は撮像部１０を備え、サーバ等の情報処理装置（図示せず）は比較部２０と、調整部３０とを備え、ＰＯＳ端末１は情報処理装置と有線または無線の通信により接続されていても良い。情報処理装置は、ＰＯＳ端末１の撮像部１０が撮像して生成した画像を、有線通信または無線通信を介して取得し、比較と、ホワイトバランス調整をする。
【００１４】  （第１の実施形態）  図２は、第１の実施形態に係るＰＯＳ端末１００の外観を示す側面図である。また、図３は、第１の実施形態に係るＰＯＳ端末のハードウェア構成を示す図である。ＰＯＳ端末１００は、店員用表示部１１０と、情報処理部１２０と、商品読取装置１４０と、互いに異なる複数の色を有するカラーパターン１５０を備えている。図２の店員用表示部１１０の正面側に店員が位置する。
【００１５】  店員用表示部１１０は、タッチパネル、ＬＣＤ（Liquid Crystal Display）等である。店員用表示部１１０は、キーボード等の入力装置を備えていても良い。店員用表示部１１０は、情報処理部１２０の制御によって、店員に必要な情報を表示し、店員からの操作を受け付ける。
【００１６】  情報処理部１２０は、例えばコンピュータである。情報処理部１２０は、例えばＣＰＵ（Central Processing Unit）等の比較部１２２と調整部１２４とを含む制御部１２６と、例えばメモリ又はハードディスク等の記憶部１２８とを有する。情報処理部１２０は、店員用表示部１１０、及び、商品読取装置１４０の動作を制御する。また、情報処理部１２０は、店員用表示部１１０によって受け付けられた操作に応じて必要な処理をする。また、情報処理部１２０は、商品読取装置１４０によって読み取られた画像情報に応じて、画像処理等の必要な処理をする。情報処理部１２０についての詳細は後述する。
【００１７】  商品読取装置１４０は、筐体１４２と、光透過性がある商品読取面１４４と、撮像部１３０とを有する。商品読取面１４４は、筐体１４２の店員側の面に設けられ、物体を撮像させるときに、その物体が向けられる。撮像対象の主な物体は商品である。撮像部１３０は、筐体１４２の内部に搭載され、撮像部１３０は、商品読取面１４４の反対側に設けられている。店員が顧客から受け取った物体を商品読取面１４４に向けると、撮像部１３０は、物体を撮像することによって、画像を読み取る。これによって、ＰＯＳ端末１００は、物体を認識する処理を実行する。尚、物体は店内の天井に設置される電灯等や窓から照射する日光等の外部の光により照らされている。
【００１８】  撮像部１３０は、物体の画像を読み取り、読み取り画像を基に、距離画像を作成する。撮像部１３０には、撮像可能な範囲１３２があり、図２に示す２つの破線で示される間が撮像可能な範囲１３２となる。撮像可能な範囲１３２はカラーパターン１５０を含んでいるため、撮像部１３０はカラーパターン１５０を撮像することができる。カラーパターン１５０は、互いに異なる複数の基準色として、例えば赤色、緑色、青色を有している。撮像部１３０については、以下に詳述する。
【００１９】  撮像部１３０は、距離画像を作成するにあたり、少なくとも以下に説明する、第１の手法、第２の手法、第３の手法の、３通りの手法を採用可能である。
【００２０】  第１の手法の場合、撮像部１３０は、商品である物体を撮像することによって２次元画像を読み取る２次元画像撮像部（不図示）と、商品読取面１４４から物体までの距離を計測する距離センサ（不図示）と、距離画像生成部（不図示）と、を備える。２次元画像撮像部は、商品読取面１４４に向けられた物体を撮像して、その物体の画像を含む２次元カラー画像又は２次元モノクロ画像を生成する。
【００２１】  距離センサは例えばＴＯＦ（Time of Flight）方式で、距離センサから商品読取面１４４に向けられた物体の位置までの距離を計測する。つまり、距離センサは、赤外線等の光線を照射し、照射された光線が商品読取面１４４から物体までの間を往復するのに要する時間から距離を計測する。距離画像生成部は、物体の表面上の複数の位置においても同様に距離を計測し、２次元画像を重ね合わせて距離画像（３次元画像）を生成する。第１の手法の場合、撮像部１３０は、物体までの距離が所定範囲（例えば１５ｃｍ〜３０ｃｍ）内にある物体を撮像することができる。
【００２２】  第２の手法の場合、撮像部１３０は、２次元画像を読み取る２次元画像撮像部を１個、備える。第２の手法の場合、撮像部１３０があらかじめ撮像しておいた背景画像と、物体を含む画像との差分をとって物体の画像を取得する。
【００２３】  第３の手法の場合、撮像部１３０は、２次元画像（以下、「撮像した画像」とも記載する）を読み取る複数の２次元画像撮像部と、距離画像生成部と、を備える。距離画像生成部は、複数の撮像部間における視野の違いに基づいて距離画像（３次元画像）を生成する。
【００２４】  制御部１２６は、撮像部１３０が撮像した画像から、カラーパターン１５０の色の情報の特徴値を抽出する。
【００２５】  比較部１２２は、撮像部１３０が撮像した画像における基準色の特徴値を、記憶部１２８に記憶されている、基準色の標準となる標準画像の特徴値（以下、「標準画像特徴値」と記載）と比較する。標準画像特徴値は、あらかじめ記憶部１２８に記憶されている。または、基準色の標準画像特徴値は、ＰＯＳ端末１００が画像認識するために所定の条件の下で撮像部１３０が撮像して取得した画像から抽出したものであってもよい。ここで、所定の条件は、適切な照明等の撮影環境のことである。
【００２６】  基準色の標準画像特徴値は、色相、彩度、明度等を、例えば数値で表したものである。記憶部１２８は、互いに異なる複数の基準色の標準画像特徴値を記憶している。基準色の標準画像特徴値として色相を用いる場合について具体的に説明する。
【００２７】  基準色は、赤色（以下ではＲと示す）、緑色（以下ではＧと示す）、青色（以下ではＢと示す）である。ここで、基準色の標準画像特徴値は、通常、画素値という名称で呼ばれる値である。この場合、例えば記憶部１２８に記憶されている基準色である赤色の標準画像特徴値（画素値）は（Ｒ１、Ｇ１、Ｂ１）＝（１００、０、０）と示すことができる。同様に、緑色の場合は（Ｒ２、Ｇ２、Ｂ２）＝（０、１００、０）と示すことができる。同様に、青色の場合は（Ｒ３、Ｇ３、Ｂ３）＝（０、０、１００）と示すことができる。
【００２８】  撮像部１３０がカラーパターン１５０の赤色、緑色、青色を撮像した場合についての一例を以下に説明する。本例においては、撮像した画像のうち赤色部分の特徴値が（Ｒ４、Ｇ４、Ｂ４）＝（１００、０、０）、緑色部分の特徴値が（Ｒ５、Ｇ５、Ｂ５）＝（０、１００、０）、青色部分の特徴値が（Ｒ６、Ｇ６、Ｂ６）＝（０、０、９０）であるとする。
【００２９】  比較部１２２は、赤色の標準画像特徴値（Ｒ１、Ｇ１、Ｂ１）と撮像した画像のうち赤色部分の特徴値（Ｒ４、Ｇ４、Ｂ４）とを比較する、即ち、Ｒ１とＲ４、Ｇ１とＧ４、Ｂ１とＢ４、を比較する。同様の手法によって、比較部１２２は、（Ｒ２、Ｇ２、Ｂ２）と（Ｒ５、Ｇ５、Ｂ５）と、（Ｒ３、Ｇ３、Ｂ３）と（Ｒ６、Ｇ６、Ｂ６）と、を比較する。
【００３０】  本例においては、比較部１２２による比較の結果、Ｂ３＝１００と、Ｂ６＝９０の場合のみに、Ｂ６がＢ３（青色標準画像の特徴値）より１０小さいという差があり、残りは差がないということになる。
【００３１】  調整部１２４は、比較部１２２が比較した結果に基づいて、ホワイトバランスを調整する。上述した通り、赤色、緑色については記憶部１２８に記憶されている基準色の標準画像特徴値（画素値）と差がないため、色調整をしない。しかし、青色については、撮像した場合の特徴値（画素値）Ｂ６が９０であり、記憶部１２８に記憶されている基準色の標準画像特徴値（画素値）Ｂ３が１００である。よって、両者に１０の差があるため青色については１０を加えるホワイトバランスの調整をする。
【００３２】  本実施形態では青色について調整する場合を説明したが、赤色、緑色について特徴値（画素値）に差がある場合は、赤色、緑色についてもホワイトバランスを調整すればよい。
【００３３】  比較部１２２、調整部１２４は、例えば制御部１２６の制御によって、プログラムを実行させることによって実現できる。具体的には、記憶部１２８に格納されたプログラムを実行して実現する。
【００３４】  図４は、情報処理部１２０の処理を示すフローチャートである。撮像部１３０は互いに異なる複数の基準色を含む被撮像物を撮像して画像を生成する（Ｓ１００）。ここでは、互いに異なる複数の基準色を含む被撮像物として、カラーパターン１５０を撮像する。そして、制御部１２６は、撮像した画像を処理して、画素ごとに色の情報の特徴値を抽出する。
【００３５】  次に、情報処理部１２０の比較部１２２は、撮像部１３０が撮像した画像のうち、それぞれの基準色に対応する部分の画像と、記憶部１２８に記憶されている基準色の標準となる標準画像とを比較する。（Ｓ２００）。具体的には、赤色、緑色、青色ごとに、上述した特徴値を比較する。
【００３６】  次に、比較した結果、撮像した画像の基準色の特徴値と、記憶部１２８に記憶されている基準色の標準画像特徴値とに差がある場合（Ｓ３００においてＹＥＳ）、調整部１２４はホワイトバランスを調整する（Ｓ４００）。具体的には、調整部１２４は、撮像した画像の基準色の特徴値が、記憶部１２８に記憶されている基準色の標準画像特徴値と同じになるように、調整する。差がない場合（Ｓ３００においてＮＯ）、調整部１２４はホワイトバランスを現在の設定のままにする（Ｓ５００）。
【００３７】  本発明の第１の実施形態によれば、被撮像物を照らす外部の光が変化しても、被撮像物のホワイトバランスを十分な精度に調整できるＰＯＳ端末等を提供できる。この理由は、本発明の第１の実施形態では、互いに異なる複数の基準色を用いてホワイトバランスを調整するためである。具体的には、比較部１２２が、撮像部１３０によって撮像された画像のうち、それぞれの基準色に対応する部分の画像と、前記基準色の標準となる画像と、を比較し、調整部１２４が、この比較結果に基づいてホワイトバランスを調整するからである。
【００３８】  以上では、ＰＯＳ端末１００が、撮像部１３０と、比較部１２２と、調整部１２４（図３参照）と、を備える場合について説明した。本実施形態はこれに限られるものではなく、例えば、クライアント側であるＰＯＳ端末１００は撮像部１３０を備え、サーバ側の装置（図示せず）は比較部１２２と、調整部１２４とを備え、ＰＯＳ端末１００はサーバ側の装置と有線または無線の通信で接続されていても良い。サーバ側の装置は、ＰＯＳ端末１００の撮像部１３０が撮像して生成した画像を、有線又は無線通信を介して取得し、比較と、ホワイトバランス調整をする。
【００３９】  （第２の実施形態）  次に、第２の実施形態について説明する。第２の実施形態においては、カラーパターン１５０の代わりに商品１６０を用いる点が第１の実施形態と異なる。なお、第１の実施形態と実質的に同様の構成部分については同じ符号を付し、説明を省略する。
【００４０】  図５は、第２の実施形態に係るＰＯＳ端末２００の外観を示す側面図である。ＰＯＳ端末２００は、第１の実施形態（図２参照）と比較して、カラーパターン１５０を有していない。撮像部１３０は、カラーパターン１５０を撮像する代わりに、商品１６０を撮像する。
【００４１】  例えば、商品１６０は、包装に互いに異なる複数の基準色を含んでおり、これらの基準色をカラーパターン１５０に表示された基準色の代わりに用いる。包装がない商品１６０の場合、商品１６０の外観に表れている色のうち、基準色である部分を用いてもよい。商品１６０は基準色である赤色、緑色、青色のうち少なくとも２種類以上の色を含んでいる。以下、商品１６０は包装が基準色を含んでいる場合について説明する。
【００４２】  図６は、第２の実施形態に係るＰＯＳ端末２００のハードウェア構成を示す図である。ＰＯＳ端末２００は、店員用表示部１１０と、情報処理部２２０と、撮像部１３０と、を備えている。情報処理部２２０は、制御部２２６と、記憶部２２８とを備えている。制御部２２６は、比較部２２２と、調整部１２４とを備えている。
【００４３】  記憶部２２８は、基準色の標準画像特徴値に加えて、各商品１６０の画像のデータベースを記憶している。ここで、商品画像のデータベースは、各商品１６０の商品画像の特徴である形状、色の情報である。
【００４４】  制御部２２６は、撮像部１３０が撮像した画像と、商品画像のデータベースの商品画像の特徴を照合することにより、撮像した画像が、どの商品１６０であるかを特定する。記憶部２２８は、特定された商品１６０の包装のうち、どの部分（商品１６０の外形に対する位置と大きさ等）が、どの基準色であるかを示す情報を記憶している。例えば、図７に示すように、商品１６０を包む包装において、左半分領域内の略中央位置に赤色の円と、右半分領域内の略中央位置に青色の四角とを有していることを示す情報を記憶している。
【００４５】  図８は、情報処理部２２０の処理を示すフローチャートである。撮像部１３０は商品１６０を含む被撮像物を撮像して画像を生成する（Ｓ１１０）。ここでは、互いに異なる複数の基準色を含む被撮像物として、商品１６０を撮像する。
【００４６】  制御部２２６は、撮像した画像を処理して画素ごとに色の情報の特徴値を抽出する。制御部２２６は、記憶部２２８に記憶された前述の情報を用いて、記憶部２２８の商品画像のデータベースとのマッチングにより、撮像した商品１６０が、どの商品であるかを特定する。そして、制御部２２６は、特定された商品の包装のうち、どの部分が、どの基準色であるかを認識する。
【００４７】  次に、情報処理部２２０の比較部２２２は、撮像部１３０が撮像した画像のうち、商品１６０の包装であって、基準色である部分の特徴値を、記憶部２２８に記憶されている基準色の標準画像特徴値と比較する。（Ｓ２１０）。具体的には、図７に示された商品１６０の包装の場合、赤色および青色について、上述した比較処理を行う。
【００４８】  次に、比較した結果、撮像した画像のうち基準色部分の特徴値と、記憶部２２８に記憶されている基準色の特徴値に差がある場合（Ｓ３００においてＹＥＳ）、調整部１２４は、ホワイトバランスを調整する（Ｓ４００）。差がない場合（Ｓ３００においてＮＯ）、調整部１２４はホワイトバランスを現在の設定のままにしておく（Ｓ５００）。
【００４９】  本発明の第２の実施形態によれば、互いに異なる複数の色を用いてホワイトバランスを調整するため、ホワイトバランスの調整精度を向上することができる。この理由は、比較部２２２が、撮像部１３０によって撮像された画像のうち、それぞれの基準色に対応する部分の画像と、前記基準色の標準となる画像とを比較し、調整部１２４が、この比較結果に基づいてホワイトバランスを調整するからである。即ち、本実施形態によれば、互いに異なる複数の色を用いてホワイトバランスを調整する。これにより、ホワイトバランスの調整精度を向上させることができる。
【００５０】  更に、本実施形態においては、商品１６０を用いてホワイトバランスを調整する、即ち、カラーパターン１５０を不要とすることができるため、部品点数を減らすことができる。
【００５１】  以上の説明では、ＰＯＳ端末２００が撮像部１３０と、比較部２２２と、調整部１２４と、を備える場合について説明した。この場合にだけに限られるものではなく、例えば、ＰＯＳ端末２００は撮像部１３０を備え、サーバ等の情報処理装置は比較部２２２と、調整部１２４とを備え、ＰＯＳ端末２００は情報処理装置と有線又は無線通信にて接続されていても良い。情報処理装置は、ＰＯＳ端末２００の撮像部１３０が撮像して生成した画像を、有線又は無線通信を介して取得し、ホワイトバランス調整をする。
【００５２】  （第２の実施形態の変形例）  次に、第２の実施形態の変形例について説明する。第２の実施形態の変形例においては、商品１６０の代わりに基準色が表示されたカードを用いてもよい。カードは社員証等であってもよい。ホワイトバランスの調整方法は第２の実施形態と同じであるため、説明を省略する。
【００５３】  本発明の第２の実施形態の変形例によれば、互いに異なる複数の色を用いてホワイトバランスを調整するため、ホワイトバランスの調整精度を向上することができる。
【００５４】  更に、商品１６０を用いてホワイトバランスを調整し、ＰＯＳ端末２００はカラーパターン１５０を有する必要がないため、部品点数を減らすことができる。
【００５５】  （情報処理装置）  また、本発明のＰＯＳ端末１、１００、２００の処理は、コンピュータに実行させるためのプログラムに適用しても良い。また、そのプログラムを記憶媒体に格納することも可能であり、ネットワークを介して外部に提供することも可能である。
【００５６】  上述した実施形態に係る情報処理部１２０は、情報処理装置（コンピュータ）を利用しても実現することができる。この場合において、図１、３および６に示したＰＯＳ端末１、１００、２００の各部のうちの少なくとも撮像部１０（１３０）、比較部２０（１２２、２２２）、調整部３０（１２４）は、ソフトウェアプログラムの機能（処理）単位（ソフトウェアモジュール）と捉えることができる。これらの機能（処理）を実現可能なハードウェア環境の一例を、図９を参照して説明する。但し、これらの図面に示した各部の区分けは、説明の便宜上の構成であり、実装に際しては、様々な構成が想定され得る。
【００５７】  図９は、本発明の実施形態に係るＰＯＳ端末１、１００、２００および情報処理部１２０を実行可能な情報処理装置１０００の構成を例示的に説明する図である。
【００５８】  図９に示した情報処理装置１０００は、以下の構成がバス（通信線）３００８を介して接続された一般的なコンピュータである。
【００５９】  ・ＣＰＵ３００１、  ・ＲＯＭ（Ｒｅａｄ＿Ｏｎｌｙ＿Ｍｅｍｏｒｙ）３００２、  ・ＲＡＭ（Ｒａｎｄｏｍ＿Ａｃｃｅｓｓ＿Ｍｅｍｏｒｙ）３００３、  ・記憶装置３００４、  ・入出力ユーザインタフェース（Ｉｎｔｅｒｆａｃｅ：以降、「Ｉ／Ｆ」と称する）３００５、  ・外部装置との通信Ｉ／Ｆ３００６、  ・ドライブ装置３００９。
【００６０】  入出力ユーザＩ／Ｆ３００５は、図２および５に示す店員用表示部１１０に相当する。ドライブ装置３００９は、記録媒体３０１０または通信Ｉ／Ｆ３００６を介して外部ネットワーク３０００から、情報処理装置１０００を実行するためのソフトウェア（プログラム）を読み出す。
【００６１】  そして、上述したハードウェア環境において、上述した実施形態は、以下の手順によって達成される。即ち、図９に示した情報処理装置１０００に対して、その実施形態の説明において参照したブロック構成図（図１、３または６）、或いはフローチャート（図４および８）の機能を実現可能なコンピュータ・プログラムがネットワーク３０００またはドライブ装置３００９から供給される。
【００６２】  その後、そのコンピュータ・プログラムは、当該ハードウェアのＣＰＵ３００１に読み出されて解釈され、ＣＰＵ３００１において実行される。また、当該情報処理装置１０００内に供給されたコンピュータ・プログラムは、読み書き可能な揮発性の記憶デバイス（ＲＡＭ３００３）または記憶装置３００４等の不揮発性の記憶デバイスに格納すればよい。
【００６３】  以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００６４】  この出願は２０１４年３月２７日に出願された日本出願特願２０１４−０６５９３３を基礎とする優先権を主張し、その開示の全てをここに取り込む。
【符号の説明】
【００６５】  １、１００、２００        ＰＯＳ端末  １０      撮像部  ２０      比較部  ３０      調整部  １１０    店員用表示部  １２０、２２０    情報処理部  １２２、２２２    比較部  １２４    調整部  １２６、２２６    制御部  １２８、２２８    記憶部  １３０    撮像部  １４０    商品読取装置  １４４    商品読取面  １５０    カラーパターン  １６０    商品  １０００    情報処理装置  ３０００    ネットワーク  ３００１    ＣＰＵ  ３００３    ＲＡＭ  ３００４    記憶装置  ３００５    入出力ユーザＩ／Ｆ  ３００６    通信Ｉ／Ｆ  ３００９    ドライブ装置  ３０１０    記録媒体
【図１】
2015146084.tif 000003
【図２】
2015146084.tif 000004
【図３】
2015146084.tif 000005
【図４】
2015146084.tif 000006
【図５】
2015146084.tif 000007
【図６】
2015146084.tif 000008
【図７】
2015146084.tif 000009
【図８】
2015146084.tif 000010
【図９】
2015146084.tif 000011
【手続補正書】
【提出日】平成28年9月23日(2016.9.23)
【手続補正２】
【補正対象書類名】特許請求の範囲
【補正対象項目名】請求項８
【補正方法】変更
【補正の内容】
【請求項８】
互いに異なる複数の基準色を含む被撮像物を撮像して画像を生成する機能と、
それぞれの前記基準色に対応する部分の前記画像と、前記基準色の標準となる標準画像と、を比較する機能と、
前記比較の結果に基づいてホワイトバランスを調整する機能と、
をコンピュータに実行させるプログラム。
【国際調査報告】
2015146084.tif 000012
2015146084.tif 000013
2015146084.tif 000014
2015146084.tif 000015